(57)【要約】１つ以上のライトと、プロセッサ及びプロセッサに通信可能に接続されるメモリを有する処理システムとを備えた照明システムが開示される。プロセッサは、オーディオ信号を解析し、オーディオ信号に含まれる多岐にわたる記述子に基づいて、オーディオ信号に関連付けられたオーディオのムードを判断するように構成された命令を有する。各ライトに通信可能に接続される信号生成部も、本システムの一部を構成する。信号生成部は、各ライトが受信する、判断されたムードを反映する信号を生成するように動作可能である。各ライトから出力される光は、信号生成部によって受信される信号に応じて変更される。【選択図】図１
2018507525.tif 000002
【特許請求の範囲】
【請求項１】
１つ以上のライトと、
オーディオセンサと、
１つ以上のプロセッサと、各プロセッサに通信可能に接続されるメモリとを有する処理システムであって、各プロセッサは、
前記オーディオセンサから受信したオーディオ信号を解析し、
前記オーディオ信号に含まれる複数の記述子に基づいて、前記オーディオセンサにより検出されたオーディオのムードを判断する
ように構成された命令を有する、処理システムと、
各ライトに通信可能に接続され、各ライトにより受信される、判断された前記ムードを反映した信号を生成する信号生成部であって、各ライトから出力される光は、前記信号生成部により受信された信号に応じて変更される、信号生成部と
を備えた照明システム。
【請求項２】
前記オーディオセンサがマイクロフォンである、請求項１に記載の照明システム。
【請求項３】
前記マイクロフォンが指向性を有するマイクロフォンである、請求項２に記載の照明システム。
【請求項４】
前記指向性を有するマイクロフォンは、各ライトに設けられるか、又は前記１つ以上のライトのアレイに共通のものである、請求項３に記載の照明システム。
【請求項５】
各ライトから出力される光の色と強度と変調との少なくともいずれかが、前記オーディオセンサにより受信される前記オーディオの、判断された前記ムードに合うように、前記信号生成部により受信される信号に応じて変更される、請求項１に記載の照明システム。
【請求項６】
前記信号生成部は前記処理システムの一部を構成するものである、請求項１に記載の照明システム。
【請求項７】
１つ以上のライトと、
プロセッサと、前記プロセッサに通信可能に接続されるメモリとを有する処理システムであって、前記プロセッサは、
オーディオ信号を解析し、
前記オーディオ信号に含まれる複数の記述子に基づいて、前記オーディオ信号に関連するオーディオのムードを判断する
ように構成された命令を有する、処理システムと、
各ライトに通信可能に接続され、各ライトにより受信される、判断された前記ムードを反映した信号を生成する信号生成部であって、各ライトから出力される光は、前記信号生成部により受信される信号に応じて変更される、信号生成部と
を備えた照明システム。
【請求項８】
各ライトから出力される光の色と強度と変調との少なくともいずれかが、前記オーディオ信号に関連するオーディオの、判断された前記ムードに合うように、前記信号生成部により受信される信号に応じて変更される、請求項７に記載の照明システム。
【請求項９】
前記プロセッサは、前記オーディオ信号に含まれる複数の記述子を解析し、前記オーディオ信号に関連するオーディオのムードを前記記述子に基づいて判断するように構成されたムードアルゴリズムを実行するための命令を有するものである、請求項７に記載の照明システム。
【請求項１０】
前記記述子は、以下のものの組み合わせを含むものである、請求項９に記載の照明システム。
【表１】
2018507525.tif 000005
【請求項１１】
プロセッサと、前記プロセッサに通信可能に接続されるメモリと、信号生成部と、１つ以上のライトとを設けるステップと、
オーディオ信号を生成し、前記オーディオ信号を前記プロセッサに送るステップと、
前記プロセッサが、前記オーディオ信号に関連するオーディオのムードを判断するために前記オーディオ信号を解析するステップであって、前記オーディオのムードの判断するための、前記オーディオ信号に含まれる記述子を評価するステップを含むステップと、
前記解析するステップにおいて判断された前記オーディオのムードを表す信号を前記信号生成部が出力するステップと、
前記１つ以上のライトにより生成される光を、該生成される光が前記解析するステップにおいて判断された前記オーディオのムードを反映したものとなるように前記信号に応じて変更するステップと
を含む、照明を変更する方法。
【請求項１２】
前記１つ以上のライトにより生成される光の色と強度と変調との少なくともいずれかを、該生成される光が前記解析するステップにおいて判断された前記ムードを反映したものとなるように前記信号に応じて変更するステップを更に含む請求項１１に記載の照明を変更する方法。
【請求項１３】
前記信号は、前記信号生成部から前記１つ以上のライトに関連付けられた受信機へと送られる無線信号である、請求項１１に記載の照明を変更する方法。
【請求項１４】
各ライト又は前記１つ以上のライトのアレイにマイクロフォンを関連付けるステップと、
前記マイクロフォンを用いて前記オーディオを検出し、前記オーディオを、前記プロセッサに送られる前記オーディオ信号に変換するステップと
を更に含む請求項１１に記載の照明を変更する方法。
【請求項１５】
前記マイクロフォンは指向性を有するマイクロフォンである、請求項１４に記載の照明を変更する方法。
【請求項１６】
プロセッサと、前記プロセッサに通信可能に接続されるメモリと、信号生成部と、人間が知覚可能な媒体を出力する１つ以上の電子デバイスとを設けるステップと、
オーディオ信号を生成し、前記オーディオ信号を前記プロセッサに送るステップと、
前記プロセッサが、前記オーディオ信号に関連するオーディオのムードを判断するために前記オーディオ信号を解析するステップであって、前記オーディオのムードを判断するための、前記オーディオ信号に含まれる記述子を評価するステップを含むステップと、
前記解析するステップにおいて判断された前記オーディオのムードを表す信号を前記信号生成部が出力するステップと、
前記電子デバイスから出力される、人間が知覚可能な媒体の質又は内容を、該人間が知覚可能な媒体が前記解析するステップにおいて判断された前記オーディオのムードを反映したものとなるように前記信号に応じて変更するステップと
を含む、電子デバイスの出力を変更する方法。
【請求項１７】
前記電子デバイスがビデオディスプレイ手段である、請求項１６に記載の電子デバイスの出力を変更する方法。
【請求項１８】
前記人間が知覚可能な媒体がビデオである、請求項１７に記載の電子デバイスの出力を変更する方法。
【請求項１９】
前記電子デバイスが発煙器である、請求項１６に記載の電子デバイスの出力を変更する方法。
【請求項２０】
前記電子デバイスがプロジェクタ手段である、請求項１６に記載の電子デバイスの出力を変更する方法。
【発明の詳細な説明】
【技術分野】
【０００１】
［関連出願の相互参照］
本出願は、２０１５年１月２６日に出願された米国仮特許出願第６２／１０７，７１８号の出願日の利益を主張する。この仮特許出願の開示内容は、引用することにより本明細書の一部をなすものとする。
【背景技術】
【０００２】
本発明は、概して、楽曲内で検出されるムード等に対応した照明システムに関する。
【０００３】
特定の環境又は特定のイベントにおける照明は、様々な要素によって判断される環境又はイベントのムードを反映したものであることが好ましい。その一方で、既存の照明システムは、例えば、その環境又はイベントにおいて再生（又は演奏）されている楽曲のムードに自発的に対応することができない。通常、照明は、イベントのムードを反映できるように専門の人によって変更されるか、又は予め計画されなくてはならない。ムードの変化に応じて照明を動的に変更するために専用の人員を用いることは、コストが高いため、通常はコストを負うのを厭わないイベント（例えば、より注目を集めているイベント等）に回される。
【０００４】
したがって、ムード等の刺激に自動的に対応する動的な照明システムを提供することが必要とされている。
【発明の概要】
【０００５】
本発明の第１の態様は、照明システムを含む。本システムは、１つ以上のライトと、オーディオセンサと、１つ以上のプロセッサ及び各プロセッサに通信可能に接続されるメモリを有する処理システムであって、各プロセッサは、オーディオセンサから受信したオーディオ信号を解析し、オーディオ信号に含まれる複数の記述子に基づいて、オーディオセンサによって検出されたオーディオのムードを判断するように構成された命令を有する、処理システムとを備える。本システムは、また、各ライトに通信可能に接続される信号生成部であって、各ライトが受信する、判断されたムードを反映する信号を生成するように動作可能であり、各ライトから出力される光は、この信号生成部によって受信される信号に応じて変更される、信号生成部を備える。
【０００６】
この第１の態様の実施形態では、オーディオセンサは、任意選択で指向性の機能を有するマイクロフォンである。さらに、各ライトから出力される光の色、強度及び／又は変調（modulation）は、オーディオ信号に関連付けられたオーディオの判断されたムードに合うように、信号生成部によって受信される信号に応じて変更することができる。
【０００７】
本発明の第２の態様は、照明システムを含む。本システムは、１つ以上のライトと、プロセッサ及びこのプロセッサに通信可能に接続されるメモリを有する処理システムであって、プロセッサは、オーディオ信号を解析し、オーディオ信号に含まれる複数の記述子に基づいて、オーディオ信号に関連付けられたオーディオのムードを判断するように構成された命令を有する、処理システムとを備える。本システムは、また、各ライトに通信可能に接続される信号生成部であって、各ライトが受信する、判断されたムードを反映する信号を生成するように動作可能であり、各ライトから出力される光は、この信号生成部によって受信される信号に応じて変更される、信号生成部を備える。
【０００８】
この第２の態様の実施形態では、プロセッサは、オーディオ信号に含まれる多岐にわたる記述子を解析し、記述子に基づいてオーディオ信号に関連付けられたオーディオのムードを判断するように構成された、ムードアルゴリズムを実行するための命令を含む。別の実施形態では、記述子は、以下のものの組み合わせ（又は以下のものの全て）を含む。
【０００９】
【表１】
2018507525.tif 000003
【００１０】
本発明の第３の態様は、照明を変更する方法を含む。本方法は、（１）プロセッサと、プロセッサに通信可能に接続されるメモリと、信号生成部と、１つ以上のライトとを設けることと、（２）オーディオ信号を生成するとともに、プロセッサに送信することと、（３）プロセッサを介してオーディオ信号を解析することであって、オーディオ信号に関連付けられたオーディオのムードを判断し、この解析するステップは、オーディオのムードの判断要因であるオーディオ信号に含まれる記述子を評価することを含む、解析することと、（４）解析するステップにおいて判断された、オーディオのムードを表す信号を、信号生成部を介して出力することと、（５）信号に応じて、１つ以上のライトによって生成される光を、この生成される光が、解析するステップにおいて判断されたオーディオのムードを反映するように変更することとを含む。本方法のステップを番号付けしたが、そのような番号付けによって特定の順序が暗に示されるわけではない。
【００１１】
この第３の態様の実施形態では、信号は、信号生成部から１つ以上のライトに関連付けられた受信機に送信される無線信号である。
【００１２】
本発明の第４の態様は、電子デバイスの出力を変更する方法を含む。本方法は、（１）プロセッサと、プロセッサに通信可能に接続されるメモリと、信号生成部と、人間が知覚可能な媒体を出力するように動作可能な１つ以上の電子デバイスとを設けることと、（２）オーディオ信号を生成するとともに、プロセッサに送信することと、（３）プロセッサを介してオーディオ信号を解析することであって、オーディオ信号に関連付けられたオーディオのムードを判断し、この解析するステップは、オーディオのムードの判断要因であるオーディオ信号に含まれた記述子を評価することを含む、解析することと、（４）解析するステップにおいて判断された、オーディオのムードを表す信号を、信号生成部を介して出力することと、（５）信号に応じて、電子デバイスから出力される、人間が知覚可能な媒体の質又は内容を、この人間が知覚可能な媒体が解析するステップにおいて判断されたオーディオのムードを反映するものとなるように変更することとを含む。
【００１３】
この第４の態様の実施形態では、電子デバイスがビデオ表示手段であり、人間が知覚可能な媒体がビデオである。
【００１４】
本発明の主題及びその様々な利点のより完全な理解を、添付図面を参照する以下の詳細な説明を参照することによって達成することができる。
【図面の簡単な説明】
【００１５】
【図１】本発明による照明システムの実施形態及びその動作を示す図である。
【発明を実施するための形態】
【００１６】
本発明の或る特定の特徴を説明する際、明確にするために特定の用語が用いられる。しかし、本発明は、本明細書において用いられる任意の特定の用語に限定されるわけではない。
【００１７】
本発明の実施形態は、音楽（例えば、音楽のムード）等の或る特定の刺激を自動的に検出し、これに対応し、この刺激に応じて出力を変更する照明システムに関する。１つの例において、クラブでディスクジョッキーがパフォーマンスをする、又は美術展若しくは別のイベントで音楽を再生（又は演奏）する等、イベントにおいて特定の楽曲が再生（又は演奏）される場合があり、イベントに関連付けられた照明は、イベントにおいて再生（又は演奏）される音楽の知覚されたムードに応じて自動的に変化することができる。１つの場合、特定の時点で再生（又は演奏）されている音楽のムードが「興奮（excited）」である場合、照明システムはそのような興奮を検出し、音楽の興奮に合わせて照明システムの出力を変更することができる（例えば、システムに関連付けられたライトが頻繁に点滅し、ランダムな方向に動くことができる等）。そのような照明システムの詳細は、以下でより完全に示される。
【００１８】
複数の要素（いわゆる「記述子（descriptor）」）に基づいて音楽のムードを検出する手段は、以下の論文、http://mtg.upf.edu/people/claurier/において入手可能な、Cyril Laurier, Automatic Classification of Musical Mood by Content-Based Analysis (Universitat Pompeu Fabra)(2011)（以下、「Laurier論文」と呼ぶ）に記載されている。この論文は、引用することによりその全体が本明細書の一部をなすものとする。Laurier論文のいくつかの部分を以下に参照する。
【００１９】
Laurier論文には、曲の「ムード」を、その曲のオーディオ信号（例えば、加工されていないオーディオ信号）において測定可能なある基準を用いて判断することが記載されている。これらの「オーディオ記述子」は、オーディオ信号から抽出される変数であり、これは、その信号が含む情報の或る側面を記述するものである。曲のムードを判断するのに用いることができる記述子のうちのいくつかの例を、以下の表に示す（Laurier論文の表４．１１）。
【００２０】
【表２】
2018507525.tif 000004
【００２１】
一般的に、上述した記述子の使用により、楽曲のムードを様々なカテゴリに分類することができる。この開示内容において、そのようなカテゴリは、「興奮」、「楽しい」、「ゆったり」及び「悲しい」である。特定の曲又は曲の特定の部分が、興奮であるか否か、楽しいか否か、ゆったりか否か、及び／又は悲しいか否か、とすることができるという点で、カテゴリはバイナリにすることができる。同様に、曲又は曲の一部分は、その曲又は曲の一部分が、例えば楽しい及びゆったりの双方であり得るという点で、１つのカテゴリに限定されない場合がある。Laurier論文に詳細に記載されているように、当然ながら、他のグルーピングも可能である。同様にLaurier論文に記載されているように、アルゴリズムを用いて上記の記述子を解析し、特定の曲又は楽曲（又はその一部分）のムードを判断する。この目的で用いられるアルゴリズムの例は、Laurier論文において教示されているＳＶＭアルゴリズムである。選択されたアルゴリズムを用いて、加工されていないオーディオ信号を解析することができ、そのアルゴリズムにより、曲又は曲の一部分のムードを判断することができる。
【００２２】
図１に示すように、本発明の実施形態は、音楽に応じて動的に調整可能な照明システムを含む。照明システムは、通常、楽曲に関連付けられたオーディオ信号を受信する処理システム又はコンピュータを含む。そして、処理システム／コンピュータは、信号を解析し、音楽のムードを判断し、その後、１つのライト又は一連のライトに、（例えば、判断された音楽のムードを反映するために）それらの出力を変更するように命令を出すことができる。このようにして、図１の照明システムは、特定の楽曲又はその一部分のムードに動的に反応する。
【００２３】
同じく図１に示すように、処理システム／コンピュータは、上記で説明したタイプのムードアルゴリズム（例えば、Laurier論文に開示されているＳＶＭアルゴリズム）を実行するための命令を有する１以上のプロセッサを含む。代替的な実施形態では、１つのプロセッサ（又は複数のプロセッサ）が、処理システム／コンピュータに組み込まれるのではなく、照明システムの各ライトに組み込まれる。いずれの場合も、処理機能を実行するためにメモリがプロセッサ（複数の場合もある）に通信可能に接続される。例として、プロセッサ（複数の場合もある）は、楽曲のオーディオ信号内に存在する多岐にわたる記述子を解析して音楽のムードを判断することが可能なムードアルゴリズムを実行するための命令を含む。したがって、処理システム／コンピュータは、プロセッサ（複数の場合もある）によりオーディオ信号（例えば、未加工のオーディオ信号）を解析し、プロセッサ（複数の場合もある）上で実行されるムードアルゴリズムによって、オーディオ信号に紐付けされたオーディオのムードを判断するように構成される。
【００２４】
一実施形態では、プロセッサ（複数の場合もある）は、照明システムのライトと通信する信号生成部にも関連付けられる。そのような通信は、無線技術を通じて、例えば、Ｂｌｕｅｔｏｏｔｈ（登録商標）、ＩＥＥＥ８０２．１１を用いた無線ローカルエリアネットワークを通じて、又は無線通信を通じて行うことができる。あるいは有線技術を用いてもよい。無線通信の場合、ライトは、信号生成部から信号を受信するための受信機を含むことができる。
【００２５】
照明システムは、指向性の機能を必要に応じて有する１つ以上のマイクロフォンを更に備えたものとすることができる。各マイクロフォンは、オーディオを受信し、そのオーディオをプロセッサ（複数の場合もある）が処理するためのオーディオ信号に変換するように動作可能である。例えば、一実施形態では、処理／コンピュータシステムは、１つ以上のマイクロフォン（指向性の機能を有していてもよい）を含む。別の例では、１つ以上のマイクロフォンが、ライト自体の中に設けられ、それによって、各ライトは、専用のマイクロフォン（複数の場合もある）を通してオーディオ信号を受信するように動作可能である。更に別の場合には、指向性の機能の有無に関わらず、１つ以上のマイクロフォンをライトのアレイに共通のものとし、これらのライトの制御を支援することができる。また別の変形形態では、照明システムは、マイクロフォンを含まない場合があり、代わりに、処理／コンピュータシステムは、マイクロフォンが必要とされないように、オーディオ信号と直接的に結び付けることができる。換言すれば、処理／コンピュータシステムは、音楽を再生（又は演奏）するデバイスから未加工のオーディオ信号を直接的に受信するように構成することもできるし、又はそのデバイス自体（例えば、音楽機器）とすることもでき、この場合、オーディオを検出し、そのオーディオをオーディオ信号に変換するマイクロフォンは必要とされない。このため、本明細書に開示されるタイプの動的照明システムを達成するために、照明システムの異なる組み合わせが可能である。
【００２６】
上記で説明した照明システムのための動作プロセスの例を図１に示す。図示されるように、まず、オーディオ信号はコンピュータ／処理システムにより受信される。オーディオ信号は、上記で詳述した任意の方法で受信することができる。例えば、コンピュータ／処理システムをオーディオ信号に直結することもできるし、又は、ライトに設けられるか若しくはライトのアレイに共通の専用マイクロフォン（複数の場合もある）が音楽を受信し、この音楽をオーディオ信号に変換し、その信号をコンピュータ／処理システムに送ることができる。受信の後、オーディオ信号はプロセッサ（複数の場合もある）によって処理され、それにより、信号に含まれる所定の記述子の組がプロセッサ（複数の場合もある）により解析される（例えば、Laurier論文において特定されている上述した記述子等のうちの任意のもの）。記述子は、Laurier論文に記載の、特に第４章において詳述されている任意の方式で重み付けすることができる。実際に、任意のムードアルゴリズムをプロセッサに設け、これを用いてオーディオ信号の記述子を解析することができる（例えば、Laurier論文において特定されているＳＶＭアルゴリズム、又は任意の他の開示されているアルゴリズム）。適切なムードアルゴリズムが実行されると、プロセッサ（複数の場合もある）によってオーディオ信号を解析することができ、これにより、再生（又は演奏）されている曲又は曲の一部分のムードが判断される（例えば、楽しい、ゆったりした、曲の一節又は曲全体）。これは、図１の「オーディオ信号のムードを判断」するステップである。次に、アルゴリズムを実行するプロセッサ（複数の場合もある）によって判断されたムードに基づいて、処理／コンピュータシステムの信号生成部から信号が出力され、その信号が、処理／コンピュータシステムに関連付けられた１つ以上のライトに送られる。先に述べたように、無線信号又は有線信号を、処理システム／コンピュータから信号生成部を通して１以上のライトに送ることができる。無線信号を送る場合は、１以上のライトが、そのライトの受信機を通してその信号を受信することができる。
【００２７】
処理システム／コンピュータからの信号受信後に、１以上のライトから出力される光を、処理システム／コンピュータによりそれまでに判断されたような曲又は曲の一部分のムードを反映するように変更することができる（図１）。例えば、処理システム／コンピュータから出力された信号に応じて、光の色、強度、方向、変調のうちの１つ以上を調整することができる。楽しくかつゆったりした曲又は曲の一部分の場合、例えば、光は、ほとんど又は全く変調を伴うことなく、心地よい色及び強度を有するものとなるように変更することができる。逆のこともいえ、興奮する曲又は曲の一部分の場合、曲の興奮する性質と合うように更なる変調を伴ってより大きい強度を有するものとなるように光を変更することできる。１以上のライトは、信号生成部から出力された信号を、ライトの受信機を通して受信し、その信号を、（例えば、強度、色及び／又は変調に関して）ライトの出力を変更するのに使用可能な電気信号に変換することができる。あるいは、信号生成部から出力された信号は、直接、光の特性を変更することができる。
【００２８】
このため、様々なオーディオ刺激に応じて自動的に変更することができる照明システムが考えられる。これは、照明を、イベントのテーマ又はムードと調和させること、コンサート又はＤＪのパフォーマンスにおいて照明を変えること等の多くの異なる状況において有用である。多くの用途が考えられ、自宅における用途も考えられる。例として、自宅の環境にいるユーザは、本明細書において記載されるような、自宅で再生（又は演奏）されている音楽のムードに反応する照明システムを持つことができる。そのような照明システムは、例として、楽しくかつゆったりした曲又は曲の一部分が再生（又は演奏）されている場合、全体的に心地よい環境を生成することができる。ユーザは、ユーザの特定の「ムード」に対応する、自身が聴きたい音楽のサブセットを選択することもでき、自宅における照明システムはそれに適応することができる。
【００２９】
上記で説明した本発明の態様は、それ自体が楽曲又はその一部分のムードに応じて自動的に調整可能な照明システムをも含む。換言すれば、個々のライト又はライトのアレイ自体を、（例えば、「スマート」照明システムとして）動的に調整可能であるように構成することができる。特定の実施形態では、そのようなスマート照明システムは、必要に応じて指向性の機能を有する１つ以上のマイクロフォンを含むことができ、これらのマイクロフォンは、各ライトがそのライトのエリア内で再生（又は演奏）されている音楽に応じて適応することができるように、システムの個々のライトに設けられる。ライトのアレイを有する代替的形態では、各ライトは、専用のマイクロフォンを有しない場合があり、代わりに、１つ以上のマイクロフォンを特定のアレイに共通のものとすることができる。複数のマイクロフォンを単一のライトに関連付ける（例えば、設ける）こともできる。照明システムを構成するライト又はアレイは、ライト又はアレイの出力を変更するための独自のプロセッサ、メモリ及び信号生成部を更に含むことができる。このため、各ライトに関連付けられるか又はライトのアレイに共通のマイクロフォン（複数の場合もある）により、ライトは、単に電源にプラグインし、即時に、楽曲又は楽曲の一部分の検出されたムードに対応するように動作可能とすることができる。
【００３０】
１つの実施形態において、上記の「スマート」照明システムの使用は以下の通りである。最初に、特定のロケーションで再生（又は演奏）されている音楽を、各ライトに設けられるか又はライトのアレイに共通のマイクロフォン（複数の場合もある）から受信することができる。次に、マイクロフォン（複数の場合もある）は、音楽を、アレイに共通の各ライトに設けられたプロセッサ（複数の場合もある）が処理する未加工のオーディオ信号に変換する。マイクロフォン（複数の場合もある）からオーディオ信号を受信した後、プロセッサ（複数の場合もある）は、プロセッサ（複数の場合もある）上で実行されるムードアルゴリズムにより信号を解析し、オーディオ信号に関連付けられたオーディオのムードを判断する。このため、オーディオ信号は、上記で説明したのとほぼ同じように（例えば、プロセッサ（複数の場合もある）に予めプログラムされたムードアルゴリズムの使用により）解析される。特定のライト又はライトのアレイに関連付けられた曲又は曲の一部分のムードが検出されると、ライト内に設けられるか又はアレイに関連付けられた信号生成部から、判断されたムードが出力される。次に、信号生成部により受信された信号に応じて、ライト又はアレイは、例えば、ライト又はライトのアレイの色、強度及び／又は変調を変えることによって、その時点で再生（又は演奏）されている曲又は曲の一部のムードを反映するように自動的に調整する。このため、この「スマート」照明システムにおいて、個々のライト又はライトのアレイは、別個の処理／コンピュータシステムとは切り離して動作可能である。処理／コンピュータシステムが各ライトに直接関連付けられているか又はライトのアレイに共通であるためである。したがって、ユーザは、上記ライト又はライトのアレイを購入し、照明システムの動的な動作のためにライト又はアレイを単に電源に接続すればよい。
【００３１】
各ライト又はライトのアレイと共に用いられるマイクロフォン（複数の場合もある）の指向性に起因して、各部屋が異なる照明方式の下にある場合もある。例として、１つの部屋が１つのやり方でテーマ設定され、別の部屋が別のやり方でテーマ設定されているイベントにおいて、各ライト又はライトのアレイと共に用いられるマイクロフォン（複数の場合もある）の指向性は、特定の部屋のテーマの一貫性を保つように、他の部屋から音を切り離すことができる。したがって、特定の部屋内のライト又はライトのアレイは、別の異なるテーマの部屋又はエリアにおける音楽のムードを除外して、その特定のテーマの部屋又はエリアにおける音楽のムードを自動的に反映するように調整することができる。
【００３２】
上記の実施形態は、或る特定の構造を利用するものとして説明されているが、他の構造も用いることができ、同様に本発明の範囲内にあると考えられる。例えば、上記で述べたもの以外の共通計算コンポーネントが、上記で開示したような動的照明システムを提供するのに必要な程度まで、照明システムの一部分を構成することができる。そのような計算コンポーネントは、当業者に既知であり、本明細書に照らして明らかである。さらに、記述子の或る特定の組が開示されているが、曲の適切なムード及び照明に対するその結果としての影響を識別するために、Laurier論文に詳述されている記述子のうちの任意のものを、任意の組み合わせで、本発明と共に使用可能であることが理解されよう。
【００３３】
さらに、上記システムは、ライトの出力を変更することとの関連で説明されているが、上記システムを用いて、例えば、テレビ、画像若しくはビデオ（例えば、コンピュータが生成したパターン）を表示するプロジェクタ、発煙器、香りマシン、電子ビデオディスプレイ又は他の同様なデバイス等の、他の電子デバイスの出力を変えることもできる。例えば、これらの電子デバイスは、（１つ以上のプロセッサを有する）処理システム／コンピュータ及び信号生成部に関連付けることができる。これらは、上記で説明したように音楽のムードを解析し、信号生成部により、関連電子デバイスの出力を変更するように構成される。例として、（処理システム／コンピュータにより）或る特定の音楽のムードを検出すると、信号生成部は、テレビ、プロジェクタ、発煙器、香りマシン、電子ビデオディスプレイ、又は他の電子デバイスに信号を出力し、その信号の出力を変更し、音楽のムードに合わせることができる。１つの例では、興奮する曲又はその一節が再生（又は演奏）されている場合、システムは、発煙器の出力を変更して、更なる煙を生成し、曲に合わせることができる。同様に、テレビ又は他のそのような電子ディスプレイは、曲に合うようにコンピュータが生成する興奮する画像又はビデオを出力することができる。このように、照明以外の代替的なシステムが可能である。
【００３４】
本発明は特定の実施形態を参照しながら本明細書において説明されてきたが、これらの実施形態は本発明の原理及び応用形態を例示するにすぎないことは理解されたい。それゆえ、添付の特許請求の範囲によって規定されるような本発明の趣旨及び範囲から逸脱することなく、例示的な実施形態に数多くの変更を加えることができること、及び他の構成を考案することができることは理解されたい。
【００３５】
様々な従属項及びそこで示される特徴を、独立請求項に提示されるのと異なる形で組み合わせることができること、及び個々の実施形態に関連して説明された特徴を、説明された実施形態のうちの他のものと共有することができることも理解されよう。特に、当業者には理解されるように、達成可能である範囲まで、任意の従属項の特徴を、別個の独立項又は従属項と共有することができる。
【図１】
2018507525.tif 000006
【国際調査報告】
2018507525.tif 000007
2018507525.tif 000008